(57)【要約】  シート材料（１３０）に付けるタブ（１００）は、前面（１０４）と、前面（１０４）と反対の裏面（１０６）と、上部（１０８）と、中部（１０９）と、下部（１１０）とを有する基材（１０２）を含む。タブは、基材（１０２）の中部（１０９）を通って（フラップ１１４）を形成する切断部（１２０）と、裏面（１０６）の上部（１０８）に沿った、および基材（１０２）の裏面（１０６）の下部（１１０）に沿った接着剤（１２２）と、基材（１０２）を折り返すことのできる中部（１０９）を通る折り返し線（１２６）とを含む。基材（１０２）を折り返し線（１２６）に沿って折り返すと、フラップ（１１４）が折り返し線（１２６）を超えて延在し、上部（１０８）の裏面（１０６）が中部（１０９）の裏面（１０６）に向き合う。
2008504982.tif 000002
【特許請求の範囲】
【請求項１】
前面と前記前面と反対の裏面とを含み、上部、中部および下部をさらに含む基材と、
前記基材の前記中部を通ってフラップを形成する切断部と、
前記基材の、前記裏面の前記上部および前記裏面の前記下部に沿った接着剤と、
前記基材を折り返すことができる前記中部を通る折り返し線と
を含み、前記基材を前記折り返し線に沿って折り返すと、前記フラップが前記折り返し線を超えて延在し、前記上部の前記裏面が前記中部の前記裏面に向き合う、シート材料に付けるタブ。
【請求項２】
前記フラップが紙の前記シートを超えて延在するように、紙の前記シートを、前記折り返し線に寄せて、前記下部の前記裏面と前記上部の前記裏面との間に配置した請求項１に記載のタブ。
【請求項３】
前記裏面の前記上部および前記裏面の前記下部に沿った前記接着剤が紙の前記シートに接合している請求項２に記載のタブ。
【請求項４】
前記切断部が、前記上部、前記中部および前記下部を通る長軸に対して対称である請求項１に記載のタブ。
【請求項５】
前記切断部が略逆Ｕ形である請求項４に記載のタブ。
【請求項６】
前記切断部が第１の端部と第２の端部とをさらに含み、前記折り返し線が前記切断部の前記第１の端部および前記第２の端部に近接している請求項１に記載のタブ。
【請求項７】
前記中部に接着剤が付いていない請求項１に記載のタブ。
【請求項８】
前面と前記前面と反対の裏面とを含み、前記基材の上部、中部および下部を通る長軸をさらに含む基材と、
第１の端部と第２の端部を含む前記基材の前記中部を通ってフラップを形成する切断部であって、前記第１の端部と前記第２の端部を通る線が前記長軸に垂直である切断部と、
前記基材の、前記裏面の前記上部および前記裏面の前記下部に沿った接着剤と、
前記中部を通って、前記切断部の前記第１の端部および第２の端部を通る前記線に沿って通る折り返し線と
を含み、前記基材を前記折り返し線に沿って折り返すと、前記フラップが前記折り返し線を超えて延在し、前記上部の前記裏面が前記中部の前記裏面に向き合う、シート材料に付けるタブ。
【請求項９】
前記フラップが前記シート材料を超えて延在するように、前記シート材料を、前記折り返し線に寄せて、前記下部の前記裏面と前記上部の前記裏面との間に配置した請求項８に記載のタブ。
【請求項１０】
前記裏面の前記上部に沿った前記接着剤が紙の前記シートの第１の面に接合しており、前記基材の前記裏面の前記下部に沿った前記接着剤が前記シート材料の第２の面に接合している請求項９に記載のタブ。
【請求項１１】
前記切断部が略逆Ｕ形である請求項８に記載のタブ。
【請求項１２】
前記フラップが前記長軸に対して略対称である請求項８に記載のタブ。
【請求項１３】
前記中部に接着剤が付いていない請求項８に記載のタブ。
【請求項１４】
前記フラップの端部と、
前記切断部の前記第１の端部から前記フラップの前記端部までの第１の距離と、
前記切断部の前記第２の端部から前記フラップの前記端部までの第２の距離と
をさらに含み、
前記第１の距離が前記第２の距離と等しい請求項８に記載のタブ。
【請求項１５】
第１の面と前記第１の面と反対の第２の面とを含み、前記基材の上部、中部および下部を通る長軸をさらに含む基材と、
第１の端部と第２の端部を含む前記基材の前記中部を通る切断部であって、前記長軸に平行な端部と長さとを有する舌状部を画定し、前記長軸の各側の前記舌状部の長さが等しい切断部と、
前記基材の前記第２の面の前記上部および前記基材の前記第２の面の前記下部に沿った接着剤と、
前記中部を通って、前記切断部の前記第１の端部および第２の端部に近接していて、前記長軸に垂直な折り返し線と
を含み、前記基材を前記折り返し線に沿って折り返すと、前記フラップが前記折り返し線を超えて延在し、前記上部の前記第２の面が前記中部の前記第２の面に向き合う、シート材料に付ける貼り直し可能なタブ。
【請求項１６】
前記フラップが紙の前記シートを超えて延在するように、紙の前記シートを、前記折り返し線に寄せて、前記下部の前記裏面と前記上部の前記裏面との間に配置した請求項１５に記載のタブ。
【請求項１７】
前記長軸に垂直な、前記切断部の前記第１の端部および前記第２の端部を通る線をさらに含む請求項１５に記載のタブ。
【請求項１８】
前記折り返し線が、前記切断部の前記第１の端部および前記第２の端部を通る前記線に沿って通る請求項１７に記載のタブ。
【請求項１９】
前記中部に接着剤が付いていない請求項１５に記載のタブ。
【請求項２０】
前記切断部が略逆Ｕ形である請求項１５に記載のタブ。
【発明の詳細な説明】
【技術分野】
【０００１】
本発明は接着平面物品に関する。特に、本発明は、接着剤コート平面物品をシート材料に付けるとき、カットアウトフラップと折り返されてタブ延在部を形成する上部とを有する接着コート平面物品に関する。
【背景技術】
【０００２】
大量の書類を扱う際、書類を分類したり、または特に重要な書類に付箋を付けるのが望ましいことが多い。ある分類の終わりと他の分類の始まりに印をすることにより書類を分類したり、または特に重要なページを目立たせるにはタブが有用である。ページに付箋を付けることに加えて、そのページにメモをすることも望ましいことが多い。しかしながら、書類を元の状態に維持することが重要な場合には、付箋を付けたページに直接マーキングをすることは望ましくない。
【０００３】
紙の積み重ねまたはバインダーから紙のページに付箋を付けるには、一般的に、別のタブページをバインダーに挿入したり、付箋を付けた紙に接着剤の付いた紙を付ける。別のタブページの追加によって、紙の積み重ねの嵩が増える。さらに、別のタブのページは、そのタブページが関連書類より前にあるため、書類に直接関連させてメモを配置することはできない。
【０００４】
接着剤の付いた紙を用いてページに付箋を付けるのは、ページに付箋を付け、書込み面を与えるのに有用である。しかしながら、３Ｍポストイット（Ｐｏｓｔ−ｉｔ）（登録商標）ブランドメモのような接着メモをこの目的で用いると、メモが付箋付き紙と適切に並ばず、ページから延在する不均一なタブ（すなわち、長さの異なるタブ、曲がったタブ等）となる。不均一なタブでマーキングされた書類により、膨大な紙が未整理でまとまりのないものに見える。
【発明の開示】
【課題を解決するための手段】
【０００５】
シート材料に付けるタブは、前面と、前面と反対の裏面と、上部と、中部と、下部とを有する基材を含む。タブは、基材の中部を通ってフラップを形成する切断部と、基材の裏面の上部および裏面の下部に沿った接着剤と、基材を折り返すことのできる中部を通る折り返し線とを含む。基材を折り返し線に沿って折り返すと、フラップが折り返し線を超えて延在し、上部の裏面が中部の裏面に向き合う。
【０００６】
上述の図面には本発明のいくつかの実施形態を規定してあるが、説明に記載したその他の実施形態も考えられる。全ての場合において、この開示は本発明を例示するものであり、限定するものではない。様々なその他の修正および実施形態は、本発明の原理の技術思想および範囲に含まれる当業者にとって考案できるものと考えられる。図面は寸法を示すべく描かれてはいない。同じ部分を示すのに同じ参照番号が図面全体に用いられている。
【発明を実施するための最良の形態】
【０００７】
図１は、タブ１００の前面１０４の平面図である。タブ１００は、中に内部切断部１２０を有する基材１０２を含む。基材１０２は紙、カードストックペーパー、薄膜プラスチックまたはその他同様のタイプの可撓性材料とすることができる。基材１０２は、下端１０１、第１の側端１０３、第２の側端１０５および上端１０７を有している。基材１０２は、上部１０８、中部１０９および下部１１０を有している。基材１０２は、図２に示す通り、前面１０４と裏面１０６とを有している。
【０００８】
図１に示す実施形態における基材１０２は、端部を丸めた略矩形であり、上部１０８、中部１０９および下部１１０を通して延在する長軸１１２に対して略対称である。しかしながら、他の実施形態において、基材１０２は長軸１１２に対して非対称とすることができる。上部１０８の各丸めた端部の半径は、下部１１０の各丸めた端部の半径より小さく、タブ１００の上下に対して使用者に視覚信号および触覚信号のシグナルを与える。
【０００９】
切断部１２０は、基材１０２の中部１０９を通っている。切断部は、第１の端部１２１と第２の端部１２３とを有している。切断部１２０は、全体として、幅１１８、第１の長さ１１６と第２の長さ１１７とを有している。切断部１２０は、長軸１１２に対して対称または鏡像として描かれており、長軸１１２の各側の切断部１２０の幅１１８および長さ１１６と１１７の部分は同じである。切断部１２０は逆Ｕ形として示されているが、所望の形状を有するページマーキングタブを形成するのに好適な形状であればよい。
【００１０】
基材１０２を通る切断部１２０はフラップ１１４を形成する。第１の長さ１１６と第２の長さ１１７が等しく、第１の端部１２１と第２の端部１２３との間を通過する線が長軸１１２に垂直なときは、最終的にタブ延在部１３６である（図４〜６参照）フラップ１１４は、紙のシート１３０と適切に繰り返し並べられる。
【００１１】
折り目または折り返し線１２６を形成すると、基材１０２の上部１０８を、中部１０９と下部１１０に対して折り返すことができる。折り返し線１２６は、切断部１２０のいずれかの側に延在していて、切断部１２０の第１の端部１２１と第２の端部１２３に近接している。折り返し線１２６は長軸１１２に実質的に垂直であり、切断部１２０の前記第１の端部１２１および前記第２の端部１２３を通過する。
【００１２】
図２は、タブ１００の裏面１０６の平面図である。第１の接着バンドまたはストリップ１２２は、基材１０２の上部１０８の裏面１０６に配置され、基材１０２の第１の側端１０３から第２の側端１０５まで延在している。第１の接着ストリップ１２２は、タブ１００を取扱い易くするために、基材１０２の上端１０７から間隔が空いている。第２の接着バンドまたはストリップ１２４は、基材１０２の下部１１０の裏面１０６に配置され、基材１０２の第１の側端１０３から第２の側端１０５まで延在している。第２の接着ストリップ１２４は、タブ１００を取扱い易くするために、基材１０２の下端１０１から間隔が空いている。中部１０９には接着剤は付いていない。
【００１３】
第１の接着ストリップ１２２および第２の接着ストリップ１２４は、永久接着剤または好適な感圧接着剤またはミネソタ州セントポールの３Ｍカンパニー（３Ｍ  Ｃｏｍｐａｎｙ，Ｓｔ．Ｐａｕｌ，ＭＮ）製ポストイット（Ｐｏｓｔ−ｉｔ）（登録商標）メモに用いる貼り直し可能な感圧接着剤のような貼り直し可能な感圧接着剤としてもよい。固体マイクロスフェアを含む例示的な貼り直し可能な感圧接着剤は、米国特許第５，５７１，６１７号（コープライダーら（Ｃｏｏｐｒｉｄｅｒ，ｅｔ  ａｌ．））および第５，８２４，７４８号（ケスティら（Ｋｅｓｔｉ，ｅｔ  ａｌ．））に記載されている。その他の感圧接着剤を用いることもできる。任意の接着剤を用いることができるが、本発明に好ましい接着剤は、タブ１００自身を「貼り直し可能」とさせる貼り直し可能なタイプである。
【００１４】
図３は、部分的に折り返した状態のタブ１００の斜視図である。タブ１００は、可撓性材料から構築されており、フラップ１１４を超えて側方向に延在する側部バー部分１０８ａおよび１０８ｂを含む上部１０８を、下部１１０およびフラップ１１４を含む中部１０９に対して折り返し線１２６に沿って曲げることができる。一般的に、上部１０８は折り返されて、上部１０８の裏面１０６が中部１０９の裏面１０６と下部１１０に向き合う。上部１０８を折り返すと、フラップ１１４は、前面１０４として同じ面に沿って延在し続け、開口部１２８が、フラップ１１４のない側部バー部分１０８ａと１０８ｂとの間の上部１０８を通して形成される。
【００１５】
図４は、タブ部分１３６を形成する紙のシート１３０と係合したタブ１００の前面１０４の平面図である。紙のシート１３０は、折り返し上部１０８の裏面１０６（図３参照）と中部１０９の裏面１０６および下部１１０との間に配置された上端１３２を有している。紙のシート１３０の上端１３２は、折り返し線１２６に隣接している。折り返し線１２６は紙のシート１３０の上端１３２に実質的に平行であるため、紙のシート１３０が折り返し線１２６に隣接していると、タブ１００は、紙のシート１３０の上端１３２と均一に並ぶ。従って、紙のシート１３０の上端１３２が、フラップ１１４の両側部で折り返し線１２６と隣接した関係にある限りは（図４および５に図示する通り）、タブ延在部１３６は常に均一に延在し、紙のシート１３０の上端１３２から間隔が空いている。紙のシートにタブ１００を用いることが本明細書に記載され例示されているが、任意のシート材料（またはシート材料の多数のシート）に任意の数用いることが本発明により予測されることに留意されたい。
【００１６】
タブ１００を紙のシート１３０に付けると、基材１０２の裏面１０６の上部１０８の第１の接着ストリップ１２２が紙のシート１３０の第１の面１３０ａに接合する。基材１０２の裏面１０６の下部１１０の第２の接着ストリップ１２４は、第１の面１３０ａと反対の紙のシート１３０の第２の面１３０ｂに接合する。基材１０２の裏面１０６は前面１０４の反対であり、図２に示す通りであり、フラップ１１４以外、裏面１０６は全て、その第１の面１３０ａか、その第２の面１３０ｂのいずれかで紙のシート１３０と接触して配置されている。第１の接着ストリップ１２２は、タブ１００の上部１０８を紙のシート１３０に固定し、第２の接着ストリップ１２４は、タブ１００の下部１１０を紙のシート１３０に固定する。
【００１７】
上部１０８を紙のシート１３０に折り返し、フラップ１１４が、前面１０４に沿った面に延在し続けると、フラップはタブ延在部１３６を形成する。タブ延在部１３６は、紙のシート１３０の上端１３２を超えて延びるタブ１００の部分である。タブ延在部１３６は、略矩形の形状で示されているが、タブ延在部１３６は、紙のシート１３０の上端１３２を超えて延在可能であれば任意の形状であってよい。
【００１８】
図５は、紙のシート１３０と係合したタブ１００の裏面１０６の平面図である。図示する通り、上部１０８は、紙のシート１３０に折り返し線１３２で折り返されている。従って、上部１０８の裏面１０６は、中部１０９の裏面１０６および下部１１０と向き合う。第１の接着ストリップ１２２および第２の接着ストリップ１２４は、紙のシート１３０と接触して、紙のシート１３０に対してタブ１００を適所に保持する。紙のシート１３０は、開口部１２８を通して露出され、フラップ１１４のカットアウトであり、ここではタブ延在部１３６として作用する。
【００１９】
図６は、図４の線６−６を通る紙のシート１３０と係合したタブ１００の断面図である。図示する通り、上部１０８を折り返すと、上部１０８の第１の接着ストリップ１２２は、紙のシート１３０の第１の面１３０ａと接触する。下部１１０の第２の接着ストリップ１２４は、紙のシート１３０の第２の面１３０ｂと接触している。紙のシート１３０の反対側の接着剤の接触によって、タブ１００内に紙のシート１３０をしっかりかつ確実に固定する。
【００２０】
図７は、図４の線７−７を通る紙のシート１３０と係合したタブ１００の断面図である。紙のシート１３０の上端１３２は、フラップ１１４の各側の折り返し線１２６に隣接させて、タブ１３６の位置が紙のシート１３０の上端１３２に対して固定されるようにする。紙のシート１３０の上端１３２に対する安定した配置によって、安定した均一な外観がタブ延在部１３６に与えられる。
【００２１】
図１〜７に示すタブ１００は、全体が略矩形で、略逆Ｕ形切断部１２０を備えており長軸１１２に対して対称である。これより大きなタブ１００が有用であり、基材１０２の前面１０４の表面は、図４に示す通り、紙のシート１３０に付けられたまま、メモまたはその他マーキングを作成する書込み面となる。さらに、タブ１００は、タブ延在部１３６を含む１つ以上の部分に予め印刷しておいた印を含んでいてもよい。タブ１００は、その他のサイズ、形状または色であってもよい。タブ延在部１３６は、タブ１００の残りの部分とは別の色であってもよい。さらに、切断部１２０の任意のサイズまたは形状を用いてよい。紙のシートに対して適切に並べるために、切断部１２０の第１の端部１２１および第２の端部１２３を通る線は、タブ１００の長軸１１２に垂直としなければならない。
【００２２】
貼り直し可能な接着剤を第１および第２の接着ストリップ１２２および１２４に用いると、タブ１００は、紙のシートに配置してから、除去し、異なる紙のシートに再配置可能なタブを与える。「貼り直し可能な」タブ１００は、紙のシートの上部と適切に並んで、タブに均一かつまとまりのある外観を与える（紙のシートの上端が折り返し線と隣接している限りは）紙のシートの上部に沿って従来の矩形タブ部分を与える。
【００２３】
さらに、タブ１００は異なる形状およびサイズであってもよく、紙のシートの隅または下部に配置してもよい。タブ１００は、付箋の付いたページに直接印を付けずに、付箋の付いたページに関してメモする領域となる書込み面を与える十分に大きなものとしてもよい。
【００２４】
「貼り直し可能な」タブ１００をパッケージして、ミネソタ州セントポールの３Ｍカンパニー（３Ｍ  Ｃｏｍｐａｎｙ，Ｓｔ．Ｐａｕｌ，ＭＮ）より入手可能なポストイット（Ｐｏｓｔ−ｉｔ）（登録商標）ブランドメモのパッドと同様の次の貼り直し可能なタブ１００の前面１０４に接合する裏面１０６に接着ストリップ同士を積み重ねる。さらに、接着ストリップをライナに向けて、貼り直し可能なタブ１００を連続ライナに提供してもよい。
【００２５】
本発明を、好ましい実施形態を参照して説明してきたが、当業者であれば、形態および詳細において変更を、本発明の技術思想および範囲から逸脱することなく行えるであろう。
【図面の簡単な説明】
【００２６】
【図１】本発明のタブの前面の平面図である。
【図２】タブの裏面の平面図である。
【図３】タブの斜視図である。
【図４】紙のシートと係合したタブの前面の平面図である。
【図５】紙のシートと係合したタブの裏面の平面図である。
【図６】図４の線６−６を通る断面図である。
【図７】図４の線７−７を通る断面図である。
【図１】
2008504982.tif 000003
【図２】
2008504982.tif 000004
【図３】
2008504982.tif 000005
【図４】
2008504982.tif 000006
【図５】
2008504982.tif 000007
【図６】
2008504982.tif 000008
【図７】
2008504982.tif 000009
【国際調査報告】
2008504982.tif 000010
2008504982.tif 000011
2008504982.tif 000012